(57)【特許請求の範囲】
【請求項１】
時計モジュールと、
コアを備えるアンテナ構造体と、
前記時計モジュールと前記アンテナ構造体とを収納し、前記時計モジュールを構成する歯車を押える歯車押え板が上部に配置されたハウジングと、
前記ハウジングの上部に配置された一対の集磁シートと、を備えており、
前記一対の集磁シートと前記コアの両端部とが磁気的に結合され、
前記一対の集磁シートは、この歯車押え板よりも厚みが小さくなるように形成されていることを特徴とする電波腕時計。
【請求項２】
前記一対の集磁シートの端部に前記コアの両端部に向けて曲折する曲折部を設け、
この曲折部が前記コアの両端部と接触することにより前記一対の集磁シートと前記コアの両端部とが磁気的に結合されていることを特徴とする請求項１に記載の電波腕時計。
【請求項３】
前記コアの両端部に前記集磁シートに向けて延出する延出部を設け、
前記一対の集磁シートは、この延出部と接触することにより前記コアの両端部と磁気的に結合されていることを特徴とする請求項１に記載の電波腕時計。
【請求項４】
前記一対の集磁シートと前記アンテナ構造体とを接続させる接続手段とを備えており、
この接続手段により前記一対の集磁シートと前記コアの両端部とが磁気的に結合されていることを特徴とする請求項１に記載の電波腕時計。
【請求項５】
前記接続手段は、前記集磁シートを前記コアの端部に向けて押圧する弾性部材であることを特徴とする請求項４に記載の電波腕時計。
【請求項６】
前記接続手段は、前記コアの端部に設けられ前記集磁シートに当接する位置まで隆起する肉厚部であることを特徴とする請求項４に記載の電波腕時計。
【請求項７】
前記接続手段は、前記コアと前記集磁シートとの間に配置され、一端部が前記コアと接触し他端部が前記集磁シートと接触するコイルばねであることを特徴とする請求項４に記載の電波腕時計。
【請求項８】
前記接続手段は、前記コアと前記集磁シートとの間に配置され、一端部が前記コアと接触し他端部が前記集磁シートと接触する弾性を有する集磁部材であることを特徴とする請求項４に記載の電波腕時計。
【請求項９】
前記接続手段は、前記ハウジングの一部に形成され、前記コアとの間でシート挿入部を形成するシート案内部を含んで構成されており、
前記シート案内部は、前記集磁シートが前記シート案内部に挿入された際、この集磁シートを前記コアに当接させるものであることを特徴とする請求項４に記載の電波腕時計。
【請求項１０】
前記コアの一部に前記集磁シートを挟み込む凹部を設け、
前記接続手段は、この凹部であることを特徴とする請求項４に記載の電波腕時計。
【請求項１１】
前記接続手段は、前記コアと前記集磁シートとの間に配置され、前記コアと前記集磁シートとを接着させる接着部材であることを特徴とする請求項４に記載の電波腕時計。
【発明の詳細な説明】
【技術分野】
【０００１】
本発明は、電波腕時計に関する。
【背景技術】
【０００２】
従来、時刻情報を含む標準電波を受信して自動的に現在時刻を修正する電波時計等の電子機器が知られている。電波時計において標準電波を受信するアンテナとしては、受信感度のよい磁性材料であるアモルファス金属やフェライト等からなるコアにコイルが巻回されてなるアンテナ構造体が多く用いられている。
【０００３】
正確に標準電波を受信するためには、受信感度の高いアンテナ構造体を用いることが望まれ、従来、外部から送信された電波の受信感度を高めるために、コアの両端部の受信面積を大きくし、より多くの磁束をコアに導いて、そこに巻かれているコイルにより大きな起電力を生じさせるアンテナ装置が開発されている（例えば、特許文献１参照）。
【特許文献１】特開昭５５−９１２３７号公報
【発明の開示】
【発明が解決しようとする課題】
【０００４】
しかしながら、特に、女性用の腕時計型の電波時計等、小型の電波時計の場合には、限られた小さな内容積に各種部品を収納する必要があるため、できるだけ小型化・薄型化を図る必要がある。このためアンテナ長を長くする等によりコアの両端部の受信面積を十分に確保することが困難であるとの問題があった。
【０００５】
そこで、本発明は、上記課題を解決するために為されたものであり、アンテナの小型化及び受信感度の向上を両立させることのできる電波腕時計を提供することを目的としている。
【課題を解決するための手段】
【０００６】
このような問題を解決するため、請求項１に記載の発明は、
時計モジュールと、
コアを備えるアンテナ構造体と、
前記時計モジュールと前記アンテナ構造体とを収納し、前記時計モジュールを構成する歯車を押える歯車押え板が上部に配置されたハウジングと、
前記ハウジングの上部に配置された一対の集磁シートと、を備えており、
前記一対の集磁シートと前記コアの両端部とが磁気的に結合され、
前記一対の集磁シートは、この歯車押え板よりも厚みが小さくなるように形成されていることを特徴としている。
【０００７】
請求項２に記載の発明は、請求項１に記載の電波腕時計において、
前記一対の集磁シートの端部に前記コアの両端部に向けて曲折する曲折部を設け、
この曲折部が前記コアの両端部と接触することにより前記一対の集磁シートと前記コアの両端部とが磁気的に結合されていることを特徴としている。
【０００８】
請求項３に記載の発明は、請求項１に記載の電波腕時計において、
前記コアの両端部に前記集磁シートに向けて延出する延出部を設け、
前記一対の集磁シートは、この延出部と接触することにより前記コアの両端部と磁気的に結合されていることを特徴としている。
【０００９】
請求項４に記載の発明は、請求項１に記載の電波腕時計において、
前記一対の集磁シートと前記アンテナ構造体とを接続させる接続手段とを備えており、
この接続手段により前記一対の集磁シートと前記コアの両端部とが磁気的に結合されていることを特徴としている。
【００１０】
請求項５に記載の発明は、請求項４に記載の電波腕時計において、
前記接続手段は、前記集磁シートを前記コアの端部に向けて押圧する弾性部材であることを特徴としている。
【００１１】
請求項６に記載の発明は、請求項４に記載の電波腕時計において、
前記接続手段は、前記コアの端部に設けられ前記集磁シートに当接する位置まで隆起する肉厚部であることを特徴としている。
【００１２】
請求項７に記載の発明は、請求項４に記載の電波腕時計において、
前記接続手段は、前記コアと前記集磁シートとの間に配置され、一端部が前記コアと接触し他端部が前記集磁シートと接触するコイルばねであることを特徴としている。
【００１３】
請求項８に記載の発明は、請求項４に記載の電波腕時計において、
前記接続手段は、前記コアと前記集磁シートとの間に配置され、一端部が前記コアと接触し他端部が前記集磁シートと接触する弾性を有する集磁部材であることを特徴としている。
【００１４】
請求項９に記載の発明は、請求項４に記載の電波腕時計において、
前記接続手段は、前記ハウジングの一部に形成され、前記コアとの間でシート挿入部を形成するシート案内部を含んで構成されており、
前記シート案内部は、前記集磁シートが前記シート案内部に挿入された際、この集磁シートを前記コアに当接させるものであることを特徴としている。
【００１５】
請求項１０に記載の発明は、請求項４に記載の電波腕時計において、
前記コアの一部に前記集磁シートを挟み込む凹部を設け、
前記接続手段は、この凹部であることを特徴としている。
【００１６】
請求項１１に記載の発明は、請求項４に記載の電波腕時計において、
前記接続手段は、前記コアと前記集磁シートとの間に配置され、前記コアと前記集磁シートとを接着させる接着部材であることを特徴としている。
【発明の効果】
【００１９】
本発明によれば、集磁シートの分だけアンテナ構造体のアンテナ長を伸ばすことができるので、アンテナ構造体を狭いスペースに収めなければならない場合のように、コア自体を大きくすることができない場合でも、効率的に電波を捕らえることができ、モジュールサイズの小型化を実現しつつ、受信感度の向上を図ることができるとの効果を奏する。
【発明を実施するための最良の形態】
【００２０】
以下、図面を参照して、本発明の好適な実施形態について説明する。なお、以下では、本発明に係る集磁シート取付構造を、腕時計型の電波時計に適用した場合について説明するが、本発明を適用可能な実施形態がこれに限定されるものではない。
【００２１】
［第１の実施形態］
先ず、図１から図５を参照しつつ、本発明にかかる集磁シート取付構造及びこれを備える電波腕時計の第１の実施形態について説明する。
【００２２】
図１は、本実施形態における電波腕時計１００の正面図である。電波腕時計１００は、標準電波を受信するアンテナ構造体１５（図２から図４参照）を備え、このアンテナ構造体１５により受信した標準電波を増幅変調してタイムコードを解読することにより現在時刻を修正する電波腕時計である。
【００２３】
第１の実施形態における電波腕時計１００は、内部に図示しない時計モジュールを構成する各部品を収納するモジュールハウジング（図２から図４参照。以下単に「ハウジング」と称する。）３と、ハウジング３が収納された時計ケース２とを備えている。
【００２４】
時計ケース２は、ステンレスやチタン等の強度の強い金属によって、上下面に開口した平面視ほぼ円環状に形成されている。この時計ケース２の視認側には、視認側の開口部を閉塞するように時計ガラス４が装着されている。また、裏面側（視認側に対向する側）には、裏面側の開口部を閉塞するように図示しない裏蓋が取り付けられている。
また、時計ケース２の図１における上下両端部、つまり当該電波腕時計１００における１２時方向側端部及び６時方向側端部には、電波腕時計１００をユーザの腕に装着するための時計バンド５が取り付けられている。また、時計ケース２の外周部には、時刻合わせの指示などの種々の操作指示が入力される複数の操作ボタンｆ１が設けられている。
【００２５】
図２は、時計ガラス４、裏蓋及び時計ケース２を外した状態における図１のII−II線断面図である。
時計ケース２内に収納されるハウジング３は、例えば樹脂等で形成されており、ハウジング３には、例えば、時針や秒針等の指針６を文字板７上で運針させるための運針機構（図示せず）等を動作させるための各種電子部品等で構成されている時計モジュール（図示せず）が収納されている。
【００２６】
ハウジング３と時計ガラス４との間には、ほぼ円形の薄板状に形成された文字板７が配置されている。文字板７の表面(視認側：図２の上側)の周縁部は、時字部８となっており、時字部８には、時字９が、円周方向にほぼ等間隔で１２箇所に刻印、印刷等により設けられている。
【００２７】
図１に示すように、文字板７の６時寄りの位置には、開口部７ａが形成されており、その奥側には、時刻等を表示する液晶パネル１０が配置されている。これにより、電波腕時計１００を正面から見た場合に、文字板７の開口部７ａを介して液晶パネル１０に表示された時刻等が視認されるようになっている。
【００２８】
また、図２に示すように、文字板７の周縁部には文字板７をハウジング３の側に押圧して文字板７を固定する文字板押え部材１１が配置されている。さらに、文字板７とハウジング３との間には、文字板７とほぼ同様の大きさに形成された薄板状のソーラーセル１２が配置されている。
【００２９】
文字板７及びソーラーセル１２の中央部には軸孔１３が形成されており、軸孔１３には、時計モジュールの運針機構に設けられた指針軸１４が文字板７の裏面側（図２の下側）から時計ガラス４の方向（図２の上側）に向けて貫通している。指針軸１４には、時針や分針等の指針６が取り付けられている。指針６は、前述の運針機構によって文字板７の上方で運針するようになっており、この指針６によって文字板７上の時字９が指示されることによって、現在の時刻を知ることができるようになっている。
【００３０】
ハウジング３の内側であってハウジング３を時計ケース２内に収納したときに１２時側に配置される位置には、アンテナ構造体１５が収納される収納スペース１６が形成されている。
【００３１】
前記ハウジング３の収納スペース１６に収納されるアンテナ構造体１５は、コア１７と、このコア１７に巻回されるコイル１８とから構成されている。
コア１７は、アモルファス金属等の比透磁率が高く、導電率が小さい磁性材料からなる複数の板状部材を積層して形成されている。板状部材としては、アモルファス合金、Fe-Cu-Nb-Si-B系等のナノ結晶磁性合金、Fe-Si系磁性合金等の軟磁性金属箔帯を板厚20μｍ以下に薄く形成して用いているが、これに限られない。
図３及び図４に示すように、コア１７のほぼ中央部は、コイル１８が巻回されるコイル巻回部である幅狭の直状部１７ａとなっており、コア１７の両端部１７ｂは、この直状部１７ａに比べてコア１７の幅方向に大きく延出する形状に形成されている。各端部１７ｂは、一方側の端縁が時計ケース２の内周面に沿う形状に形成されており、アンテナ構造体１５を時計ケース２内に収納したときにアンテナ構造体１５が時計ケース２の内周面に沿って配置され、時計ケース２とアンテナ構造体１５との間に必要以上の隙間が生じないようになっている。
【００３２】
時計ケース２内であってハウジング３よりも下方（図２の下側）には、時計モジュールを構成する電子部品が接続されるとともに各種回路を有するＩＣチップが実装される回路基板２０が配置されている。回路基板２０は回路押え板２１によってハウジング３に固定されている。
回路基板２０の接続端子２２には、アンテナ構造体１５のコイル１８の端部が接続されている。
【００３３】
ＩＣチップが有する回路要素としては、例えば、腕時計１００の各部を制御するＣＰＵ等の制御ＩＣ、後述するアンテナ構造体１５によって検出された電気信号を増幅・復調して標準電波に含まれる時刻データを取り出す受信回路部、発振器を有して現在時刻を計時する計時回路等（いずれも図示せず）等がある。
【００３４】
図２から図４を参照しつつ、本実施形態におけるハウジング３の構成について詳細に説明する。ここで、図３は、文字板７及びソーラーセル１２を外した場合のハウジング３の上部を視認側から見た平面図であり、図４は、ハウジング３の要部構成を示す斜視図である。
【００３５】
図２から図４に示すように、ハウジング３の上部上のほぼ中央には、運針機構を構成する複数の歯車２４が設けられており、歯車２４は板状の歯車押え板２５によって固定されている。
【００３６】
ハウジング３の上部上には、歯車押え板２５を間に挟んでほぼ対称位置に、一対の集磁シート３０が配置されている。図２に示すように、集磁シート３０は接着剤２６によりハウジング３の上部に固定されている。この接着剤２６は弾性を有するものであることが好ましい。
【００３７】
本実施形態において、集磁シート３０は、複数枚のアモルファスシートを積層して形成されており、その厚みは、歯車押え板２５の厚みと同じかそれよりも薄くなっている。例えば、歯車押え板２５の厚みが０．１５ｍｍ程度である場合に、集磁シート３０を薄さ３０μのアモルファスシートを３枚程度積層することによって形成する。このように、集磁シート３０の厚みを、歯車押え板２５の厚みと同じかそれよりも薄くすることによって、集磁シート３０を設けてもハウジング３の上部にもとから存在する段差の範囲内に収めることができ、集磁シート３０を設けたことによるハウジング３の厚みの増加が生じない。
集磁シート３０は、一端から他端にかけて次第に幅が広くなる形状となっており、幅の広い側の端部はハウジング３の外周に沿う形状となっている。
【００３８】
また、図３及び図４に示すように、ハウジング３の上部であって、収納スペース１６に収納されたアンテナ構造体１５のコア１７の両端部１７ｂに対応する位置には、集磁シート３０の幅の狭い側の端部３０ａを挿入する挿入孔２７が形成されている。集磁シート３０の端部３０ａは、この挿入孔２７からハウジング３の内部に挿入されるようになっている。
【００３９】
なお、集磁シート３０を形成する材料は磁性材料であればよく、アモルファスシートに限定されない。例えば、フェライト等の磁性材料により一体形成されたものであってもよい。また、集磁シート３０及び歯車押え板２５の大きさ、厚み、形状等は、ここに例示したものに限定されない。
【００４０】
アンテナ構造体１５は、弾性を有する接着剤２８を介してハウジング３の収納スペース１６内に固定されている。なお、アンテナ構造体１５が弾性を有する接着剤２８を介して収納スペース１６内に固定されていることは必須の構成要素ではなく、単に下方から他の部材によって押圧されることにより固定されるようになっていてもよい。
【００４１】
図５は、コア１７と集磁シート３０の端部３０ａとの接続部分を拡大した断面図である。図３及び図５に示すように、本実施形態においては、集磁シート３０の端部３０ａをコア１７の端部に向けて押圧する弾性部材３１が、上方から下方に向けて挿入孔２７に挿入されるようになっている。本実施形態において、弾性部材３１は、一対の集磁シート３０とコア１７の両端部１７ａとを磁気的に結合させる接続手段である。
【００４２】
次に、本実施形態の作用について説明する。
【００４３】
ハウジング３の収納スペース１６にアンテナ構造体１５を収納し、コイル１８の端部を回路基板２０の接続端子２２に接続する。これにより回路基板２０上の受信回路部とアンテナ構造体１５とが接続される。また、ハウジング３の上部に一対の集磁シート３０を配置して、各集磁シート３０の端部３０ａをハウジング３の上部に設けられた挿入孔２７に挿入し、その後この挿入孔２７に弾性部材３１を挿入して、集磁シート３０の端部３０ａを下方に押圧する。これにより、集磁シート３０の端部３０ａがアンテナ構造体１５のコア１７の端部１７ｂに接触し、両者は磁気的に結合される。そして、この集磁シート３０及びコア１７により標準電波を受信すると、受信された電波が接続端子２２を介して回路基板２０上の受信回路部に送られ、この電波に基づいて時刻情報が取得され、電波腕時計１００の現在時刻データが修正される。
【００４４】
以上のように、本実施形態によれば、ハウジング３の上部に配置された集磁シート３０を弾性部材３１により押圧することにより、ハウジング３の内部に配置されたアンテナ構造体１５のコア１７と接触させて磁気的に結合させるようになっている。これにより、集磁シート３０の分だけアンテナ構造体１５のアンテナ長を伸ばすことができるので、アンテナ構造体１５を狭いスペースに収めなければならない場合のように、コア１７を大きくすることができない場合でも、効率的に電波を捕らえることができ、モジュールサイズの小型化を実現しつつ、受信感度の向上を図ることができる。
【００４５】
また、接続手段としての弾性部材３１により集磁シート３０を押圧してコア１７に接触させるので、集磁シート３０とコア１７とを確実に接続させることができる。
【００４６】
さらに、本実施形態では、ハウジング３の上部には歯車押え板２５が配置され、この歯車押え板２５によってハウジング３の上部にもともと段差が生じているが、集磁シート３０は、この歯車押え板２５を真ん中に挟んで配置され、しかも歯車押え板２５の厚みよりも薄いものとなっているので、歯車押え板２５によって生じた段差の範囲内に集磁シート３０を配置することができる。このため、集磁シート３０を配置しても新たにハウジング３の厚みが増すことがなく、モジュールサイズを小型化しながら受信感度を向上させることができる。
【００４７】
なお、本発明が上記実施の形態に限らず適宜変更可能であるのは勿論である。
【００４８】
［第２の実施形態］
次に、図６を参照しつつ、本発明に係る集磁シート取付構造及びこれを備える電波腕時計の第２の実施形態について説明する。なお、第２の実施形態は、アンテナ構造体のコアと集磁シートとの結合構造のみが第１の実施形態と異なるものであるため、以下においては、特に第１の実施形態と異なる部分について説明する。
【００４９】
本実施形態において、電波腕時計（図示せず）は、第１の実施形態と同様に時計ケース（図示せず）とハウジング４０（図６参照）とを備えている。図６は、ハウジング４０の一部を拡大してアンテナ構造体（図示せず）のコア４１の端部と集磁シート４２の端部４２ａとの接続部分を示した断面図である。
【００５０】
ハウジング４０の上部であってコア４１の両端部に対応する部分には貫通孔４３が形成されている。ハウジング４０の上部には、第１の実施形態と同様、一対の集磁シート４２が配置されており、各集磁シート４２の一方の端部４２ａはハウジング４０の貫通孔４３の上に位置するようになっている。本実施形態において貫通孔４３の内部には、コア４１と集磁シート４２との間に配置され、一端部がコア４１端部と接触する磁性部材４５が配置されている。磁性部材４５は、アモルファス金属、フェライト等の磁性材料により、貫通孔４３の高さ（すなわち、ハウジング４０の上部の厚み）よりも低い高さ寸法に形成されている。また、本実施形態では、集磁シート４２の端部４２ａを磁性部材４５に向けて押圧する弾性部材４６が、上方から下方に向けて貫通孔４３に挿入されるようになっている。本実施形態において、この弾性部材４６及び磁性部材４５は、一対の集磁シート４２とコア４１の両端部とを磁気的に結合させる接続手段である。
【００５１】
なお、その他の構成は、第１の実施形態で説明したものと同様であることから、同一部材には同一の符号を付して、その説明を省略する。
【００５２】
次に、本実施形態の作用について説明する。
【００５３】
ハウジング４０内の所定の収納スペース（図示せず）にアンテナ構造体を収納する。また、貫通孔４３の内部に磁性部材４５を配置する。そして、ハウジング４０の上部に、一対の集磁シート４２を配置し、各集磁シート４２の端部４２ａを貫通孔４３からハウジング４０内に挿入する。さらに、弾性部材４６を上方から下方に向けて貫通孔４３に挿入し、集磁シート４２を磁性部材４５に対して押圧する。これにより、弾性部材４６及び磁性部材４５を介して集磁シート４２の端部４２ａとアンテナ構造体のコア４１とが接触し、両者は磁気的に結合される。そして、この集磁シート４２及びコア４１により標準電波を受信すると、この電波に基づいて時刻情報が取得され、電波腕時計の現在時刻データが修正される。
【００５４】
以上のように、本実施形態によれば、ハウジング４０の上部に配置された集磁シート４２を弾性部材４６及び磁性部材４５を介してハウジング４０の内部に配置されたアンテナ構造体のコア４１の端部と接触させ、磁気的に結合させるようになっている。これにより、集磁シート４２の分だけアンテナ構造体のアンテナ長を伸ばすことができるので、アンテナ構造体を狭いスペースに収めなければならない場合のように、コア４１を大きくすることができない場合でも、効率的に電波を捕らえることができ、モジュールサイズの小型化を実現しつつ、受信感度の向上を図ることができる。
【００５５】
また、接続手段としての弾性部材４６により集磁シート４２を磁性部材４５に対して押圧してコア４１に接触させるので、集磁シート４２とコア４１とを確実に接続させることができる。
【００５６】
さらに、集磁シート４２とコア４１との間に磁性部材４５を挟み込むことにより、受信感度をより向上させることができる。
【００５７】
なお、本発明が実施形態の範囲に限定されないことは第１の実施形態と同様である。
【００５８】
［第３の実施形態］
次に、図７を参照しつつ、本発明にかかる集磁シート取付構造及びこれを備える電波腕時計の第３の実施形態について説明する。なお、第３の実施形態は、アンテナ構造体のコアと集磁シートとの結合構造のみが第１の実施形態及び第２の実施形態と異なるものであるため、以下においては、特に第１の実施形態及び第２の実施形態と異なる部分について説明する。
【００５９】
本実施形態において、電波腕時計（図示せず）は、第１の実施形態及び第２の実施形態と同様に時計ケース（図示せず）とハウジング４７（図７参照）とを備えている。図７は、ハウジング４７の一部を拡大してアンテナ構造体（図示せず）のコア４８の端部と集磁シート４９の端部４９ａとの接続部分を示した断面図である。
【００６０】
本実施形態において、コア４８の端部は、他の部分に比べて厚く形成された肉厚部４８ａとなっている。なお、肉厚部４８ａを形成する手法は特に限定されない。例えばコア４８が第１の実施形態と同様、アモルファス金属等の薄い板状部材を積層して形成されている場合には、コア４８の端部だけ積層する板状部材の枚数を多くすることにより肉厚部４８ａを形成してもよい。また、例えばコア４８がフェライト等により一体形成されている場合には、肉厚部４８ａを有するように成型する。また、肉厚部部分を別体で形成した後にコア４８の端部に結合させる手法によってもよい。
【００６１】
ハウジング４７の上部であってコア４８の肉厚部４８ａに対応する部分には肉厚部４８ａを挿入する挿入孔５０が形成されている。ハウジング４７の上部には、第１の実施形態及び第２の実施形態と同様、一対の集磁シート４９が配置されており、各集磁シート４９の一方の端部４９ａはハウジング４０の挿入孔５０の上に位置するようになっている。本実施形態において、肉厚部４８ａは、挿入孔５０の上に位置する集磁シート４９に当接する位置まで隆起しており、コア４８と集磁シート４９の端部４９ａとを接触させ磁気的に結合させる接続手段として機能する。
【００６２】
なお、その他の構成は、第１の実施形態及び第２の実施形態で説明したものと同様であることから、同一部材には同一の符号を付して、その説明を省略する。
【００６３】
次に、本実施形態の作用について説明する。
【００６４】
ハウジング４７内の所定の収納スペース（図示せず）にアンテナ構造体を収納する。このとき、コア４８の端部の肉厚部４８ａがハウジング４７の上部に設けられた挿入孔５０に挿入されるようにする。また、ハウジング４７の上部に、端部４９ａが挿入孔５０の上に位置するように一対の集磁シート４９を配置する。これにより、各集磁シート４９の端部４９ａがアンテナ構造体のコア４８の端部に形成された肉厚部４８ａに接触し、両者は磁気的に結合される。そして、この集磁シート４９及びコア４８により標準電波を受信すると、この電波に基づいて時刻情報が取得され、電波腕時計の現在時刻データが修正される。
【００６５】
以上のように、本実施形態によれば、ハウジング４７の上部に配置された集磁シート４９を、ハウジング４７の内部に配置されたアンテナ構造体のコア４８の端部と接触させて磁気的に結合させるようになっている。これにより、集磁シート４９の分だけアンテナ構造体のアンテナ長を伸ばすことができるので、アンテナ構造体を狭いスペースに収めなければならない場合のように、コア４８を大きくすることができない場合でも、効率的に電波を捕らえることができ、モジュールサイズの小型化を実現しつつ、受信感度の向上を図ることができる。
【００６６】
また、コア４８の端部に形成された肉厚部４８ａが接続手段として機能し、この肉厚部４８ａと集磁シート４９の端部４９ａとを接触させことにより、コア４８と集磁シート４９とが磁気的に結合されるので、部品点数を増やすことなく受信感度の向上を図ることができる。
【００６７】
なお、本実施形態では、肉厚部４８ａが集磁シート４９に当接する位置まで隆起している場合を例としたが、例えば、第２の実施形態で示した磁性部材のように、集磁シート４９に当接しない厚みの肉厚部４８ａをコア４８に形成し、集磁シート４９の端部４９ａを挿入孔５０に挿入した上で、さらにその上方から弾性部材等で押圧する構成としてもよい。この場合には、肉厚部４８ａと弾性部材とにより接続部材が構成される。
【００６８】
なお、本発明が実施形態の範囲に限定されないことは第１の実施形態及び第２の実施形態と同様である。
【００６９】
［第４の実施形態］
次に、図８を参照しつつ、本発明にかかる集磁シート取付構造及びこれを備える電波腕時計の第４の実施形態について説明する。なお、第４の実施形態は、アンテナ構造体のコアと集磁シートとの結合構造のみが第１の実施形態から第３の実施形態と異なるものであるため、以下においては、特に第１の実施形態から第３の実施形態と異なる部分について説明する。
【００７０】
本実施形態において、電波腕時計（図示せず）は、第１の実施形態から第３の実施形態と同様に時計ケース（図示せず）とハウジング５２（図８参照）とを備えている。図８は、ハウジング５２の一部を拡大してアンテナ構造体（図示せず）のコア５３の端部と集磁シート５４の端部５４ａとの接続部分を示した断面図である。
【００７１】
ハウジング５２の上部であってコア５３の両端部に対応する部分には貫通孔５５が形成されている。ハウジング５２の上部には、第１の実施形態から第３の実施形態と同様、一対の集磁シート５４が配置されており、各集磁シート５４の一方の端部５４ａはハウジング５２の貫通孔５５の上に位置するようになっている。本実施形態において貫通孔５５の内部には、コア５３と集磁シート５４との間に配置され、一端部がコア５３の端部と接触し、他端部が集磁シート５４の端部５４ａと接触するコイルばね５６が配置されている。コイルばね５６は圧縮コイルばねであり、ハウジング５２の上部に配置されている図示しない歯車押え板の上面の高さと同じかそれよりも低い位置で各集磁シート５４の端部５４ａと接するようになっている。なお、コイルばね５６は、磁性材料で形成されたばねであることが好ましい。
このコイルばね５６は、コア５３と集磁シート５４の端部５４ａとを接触させ磁気的に結合させる接続手段として機能する。
【００７２】
なお、その他の構成は、第１の実施形態から第３の実施形態で説明したものと同様であることから、同一部材には同一の符号を付して、その説明を省略する。
【００７３】
次に、本実施形態の作用について説明する。
【００７４】
ハウジング５２内の所定の収納スペース（図示せず）にアンテナ構造体を収納する。また、貫通孔５５の内部にコイルばね５６を配置する。そして、ハウジング５２の上部に、端部５４ａが挿入孔の上に位置するように一対の集磁シート５４を配置する。これにより、コイルばね５６の一端部に集磁シート５４の端部５４ａが接触し、コイルばね５６の他端部がアンテナ構造体のコア５３の端部に接触し、両者は磁気的に結合される。そして、この集磁シート５４及びコア５３により標準電波を受信すると、この電波に基づいて時刻情報が取得され、電波腕時計の現在時刻データが修正される。
【００７５】
以上のように、本実施形態によれば、ハウジング５２の上部に配置された集磁シート５４を、ハウジング５２の内部に配置されたアンテナ構造体のコア５３の端部と接触させて磁気的に結合させるようになっている。これにより、集磁シート５４の分だけアンテナ構造体のアンテナ長を伸ばすことができるので、アンテナ構造体を狭いスペースに収めなければならない場合のように、コア５３を大きくすることができない場合でも、効率的に電波を捕らえることができ、モジュールサイズの小型化を実現しつつ、受信感度の向上を図ることができる。
【００７６】
また、コイルばね５６を介して集磁シート５４とコア５３とを接続させるので、容易な構成で、集磁シート５４を変形させることなく安定した接続が可能となる。
【００７７】
なお、本発明が実施形態の範囲に限定されないことは第１の実施形態から第３の実施形態と同様である。
【００７８】
［第５の実施形態］
次に、図９を参照しつつ、本発明にかかる集磁シート取付構造及びこれを備える電波腕時計の第５の実施形態について説明する。なお、第５の実施形態は、アンテナ構造体のコアと集磁シートとの結合構造のみが第１の実施形態から第４の実施形態と異なるものであるため、以下においては、特に第１の実施形態から第４の実施形態と異なる部分について説明する。
【００７９】
本実施形態において、電波腕時計（図示せず）は、第１の実施形態から第４の実施形態と同様に時計ケース（図示せず）とハウジング５８（図９参照）とを備えている。図９は、ハウジング５８の一部を拡大してアンテナ構造体（図示せず）のコア５９の端部と集磁シート６０の端部６０ａとの接続部分を示した断面図である。
【００８０】
ハウジング５８の上部であってコア５９の両端部に対応する部分には貫通孔６１が形成されている。ハウジング５８の上部には、第１の実施形態から第４の実施形態と同様、一対の集磁シート６０が配置されており、各集磁シート６０の一方の端部６０ａはハウジング５８の貫通孔６１の上に位置するようになっている。本実施形態において貫通孔６１の内部には、コア５９と集磁シート６０との間に配置され、一端部がコア５９の端部と接触し、他端部が集磁シート６０の端部６０ａと接触する弾性部材６２が配置されている。弾性部材６２は、貫通孔６１の高さ（すなわち、ハウジング５８の上部の厚み）とほぼ等しい高さ寸法に形成されている。
この弾性部材６２は、コア５９と集磁シート６０の端部６０ａとを接触させ磁気的に結合させる接続手段として機能する。
【００８１】
なお、その他の構成は、第１の実施形態から第４の実施形態で説明したものと同様であることから、同一部材には同一の符号を付して、その説明を省略する。
【００８２】
次に、本実施形態の作用について説明する。
【００８３】
ハウジング５８内の所定の収納スペース（図示せず）にアンテナ構造体を収納する。また、貫通孔６１の内部に弾性部材６２を配置する。そして、ハウジング５８の上部に、端部６０ａが貫通孔６１の上に位置するように一対の集磁シート６０を配置する。これにより、弾性部材６２の一端部に集磁シート６０の端部６０ａが接触し、弾性部材６２の他端部がアンテナ構造体のコア５９の端部に接触し、両者は磁気的に結合される。そして、この集磁シート６０及びコア５９により標準電波を受信すると、この電波に基づいて時刻情報が取得され、電波腕時計の現在時刻データが修正される。
【００８４】
以上のように、本実施形態によれば、ハウジング５８の上部に配置された集磁シート６０を、ハウジング５８の内部に配置されたアンテナ構造体のコア５９の端部と接触させて磁気的に結合させるようになっている。これにより、集磁シート６０の分だけアンテナ構造体のアンテナ長を伸ばすことができるので、アンテナ構造体を狭いスペースに収めなければならない場合のように、コア５９を大きくすることができない場合でも、効率的に電波を捕らえることができ、モジュールサイズの小型化を実現しつつ、受信感度の向上を図ることができる。
【００８５】
また、弾性部材６２を介して集磁シート６０とコア５９とを接続させるので、容易な構成で、広い接触面積において接触させることができるため、集磁シート６０を変形させることなく、より安定した接続が可能となる。
【００８６】
なお、本発明が実施形態の範囲に限定されないことは第１の実施形態から第４の実施形態と同様である。
【００８７】
［第６の実施形態］
次に、図１０を参照しつつ、本発明にかかる集磁シート取付構造及びこれを備える電波腕時計の第６の実施形態について説明する。なお、第６の実施形態は、アンテナ構造体のコアと集磁シートとの結合構造のみが第１の実施形態から第５の実施形態と異なるものであるため、以下においては、特に第１の実施形態から第５の実施形態と異なる部分について説明する。
【００８８】
本実施形態において、電波腕時計（図示せず）は、第１の実施形態から第５の実施形態と同様に時計ケース（図示せず）とハウジング６５（図１０参照）とを備えている。図１０は、ハウジング６５の一部を拡大してアンテナ構造体（図示せず）のコア６６の端部と集磁シート６７の端部６７ａとの接続部分を示した断面図である。
【００８９】
ハウジング６５の上部であってコア６６の両端部に対応する部分には挿入孔６８が形成されている。ハウジング６５の上部には、第１の実施形態から第５の実施形態と同様、
一対の集磁シート６７が配置されており、各集磁シート６７の一方の端部６７ａはハウジング６５の挿入孔６８に挿入されるようになっている。また、ハウジング６５内部の一部であって挿入孔６８の近傍には、コア６６との間でシート挿入部６９を形成するとともに、挿入孔６８に挿入された集磁シート６７の一方の端部６７ａをシート挿入部６９に導くシート案内部６５ａが設けられている。シート案内部６５ａはハウジング６５内に一体的に形成されている。
本実施形態において、接続手段は、このシート案内部６５ａを含んで構成されており、集磁シート６７の一端部６７ａがシート案内部６５ａに案内されてシート挿入部６９に挿入され、シート案内部６５ａが端部６７ａの浮き上がりを規制することにより、コア６６と集磁シート６７の端部６７ａとが接触し磁気的に結合される。
【００９０】
なお、その他の構成は、第１の実施形態から第５の実施形態で説明したものと同様であることから、同一部材には同一の符号を付して、その説明を省略する。
【００９１】
次に、本実施形態の作用について説明する。
【００９２】
ハウジング６５内の所定の収納スペース（図示せず）にアンテナ構造体を収納する。また、挿入孔６８に集磁シート６７の端部６７ａを挿入する。挿入孔６８からハウジング６５内に挿入された集磁シート６７の端部６７ａは、シート案内部６５ａに案内されてシート挿入部６９に挿入され、シート案内部６５ａにより集磁シート６７の端部６７ａの浮き上がりが規制されることにより、コア６６と集磁シート６７の端部６７ａとが接触し磁気的に結合される。そして、この集磁シート６７及びコア６６により標準電波を受信すると、この電波に基づいて時刻情報が取得され、電波腕時計の現在時刻データが修正される。
【００９３】
以上のように、本実施形態によれば、ハウジング５８の上部に配置された集磁シート６７を、ハウジング６５の内部に配置されたアンテナ構造体のコア６６の端部と接触させて磁気的に結合させるようになっている。これにより、集磁シート６７の分だけアンテナ構造体のアンテナ長を伸ばすことができるので、アンテナ構造体を狭いスペースに収めなければならない場合のように、コア６６を大きくすることができない場合でも、効率的に電波を捕らえることができ、モジュールサイズの小型化を実現しつつ、受信感度の向上を図ることができる。
【００９４】
また、本実施形態では、接続手段を構成するシート案内部６５ａはハウジング６５内に一体的に形成されているので、部品点数を増やすことなく受信感度の向上を図ることができる。
【００９５】
なお、本発明が実施形態の範囲に限定されないことは第１の実施形態から第５の実施形態と同様である。
【００９６】
［第７の実施形態］
次に、図１１を参照しつつ、本発明にかかる集磁シート取付構造及びこれを備える電波腕時計の第７の実施形態について説明する。なお、第７の実施形態は、アンテナ構造体のコアと集磁シートとの結合構造のみが第１の実施形態から第６の実施形態と異なるものであるため、以下においては、特に第１の実施形態から第６の実施形態と異なる部分について説明する。
【００９７】
本実施形態において、電波腕時計（図示せず）は、第１の実施形態から第６の実施形態と同様に時計ケース（図示せず）とハウジング７１（図１１参照）とを備えている。図１１は、ハウジング７１の一部を拡大してアンテナ構造体（図示せず）のコア７２の端部と集磁シート７３の端部７３ａとの接続部分を示した断面図である。
【００９８】
ハウジング７１の上部であってコア７２の両端部に対応する部分には挿入孔７４が形成されている。ハウジング７１の上部には、第１の実施形態から第６の実施形態と同様、一対の集磁シート７３が配置されており、各集磁シート７３の一方の端部７３ａはハウジング７１の挿入孔７４に挿入されるようになっている。また、本実施形態においては、コア７２の一部（一端部）に集磁シート７３の端部７３ａを挟み込む凹部７５が設けられている。挿入孔７４からハウジング７１内部に挿入された集磁シート７３の端部７３ａは、この凹部７５に挟み込まれるようになっており、本実施形態においては、凹部７５が、コア７２と集磁シート７３の端部７３ａとを接触させ磁気的に結合させる接続手段として機能する。
【００９９】
なお、その他の構成は、第１の実施形態から第６の実施形態で説明したものと同様であることから、同一部材には同一の符号を付して、その説明を省略する。
【０１００】
次に、本実施形態の作用について説明する。
【０１０１】
ハウジング７１内の所定の収納スペース（図示せず）にアンテナ構造体を収納する。また、挿入孔７４に集磁シート７３の端部７３ａを挿入する。挿入孔７４からハウジング７１内に挿入された集磁シート７３の端部７３ａは、コア７２の一部に形成された凹部７５に挟み込まれ、これによって、コア７２と集磁シート７３の端部７３ａとが接触し磁気的に結合される。そして、この集磁シート７３及びコア７２により標準電波を受信すると、この電波に基づいて時刻情報が取得され、電波腕時計の現在時刻データが修正される。
【０１０２】
以上のように、本実施形態によれば、ハウジング７１の上部に配置された集磁シート７３を、ハウジング７１の内部に配置されたアンテナ構造体のコア７２の端部と接触させて磁気的に結合させるようになっている。これにより、集磁シート７３の分だけアンテナ構造体のアンテナ長を伸ばすことができるので、アンテナ構造体を狭いスペースに収めなければならない場合のように、コア７２を大きくすることができない場合でも、効率的に電波を捕らえることができ、モジュールサイズの小型化を実現しつつ、受信感度の向上を図ることができる。
【０１０３】
また、本実施形態では、コア７２の一部に形成された凹部７５が接続手段として機能するので、確実に集磁シート７３をコア７２に接触させることができ、部品点数を増やすことなく受信感度の向上を図ることができる。
【０１０４】
なお、本発明が実施形態の範囲に限定されないことは第１の実施形態から第６の実施形態と同様である。
【０１０５】
［第８の実施形態］
次に、図１２を参照しつつ、本発明にかかる集磁シート取付構造及びこれを備える電波腕時計の第８の実施形態について説明する。なお、第８の実施形態は、アンテナ構造体のコアと集磁シートとの結合構造のみが第１の実施形態から第７の実施形態と異なるものであるため、以下においては、特に第１の実施形態から第７の実施形態と異なる部分について説明する。
【０１０６】
本実施形態において、電波腕時計（図示せず）は、第１の実施形態から第７の実施形態と同様に時計ケース（図示せず）とハウジング７７（図１２参照）とを備えている。図１２は、ハウジング７７の一部を拡大してアンテナ構造体（図示せず）のコア７８の端部と集磁シート７９の端部７９ａとの接続部分を示した断面図である。
【０１０７】
ハウジング７７の上部であってコア７８の両端部に対応する部分には挿入孔８０が形成されている。ハウジング７７の上部には、第１の実施形態から第７の実施形態と同様、一対の集磁シート７９が配置されており、各集磁シート７９の一方の端部７９ａはハウジング７７の挿入孔８０に挿入されるようになっている。また、本実施形態においては、コア７８の端部の上部であって挿入孔８０に対応する位置には、集磁シート７９の一端部７９ａをコア７８に接着する接着部材８１が設けられている。接着部材８１は、例えば磁性材料を含む両面接着テープであることが好ましいが、集磁シート７９の端部７９ａをコア７８に接着可能なものであればよく、特に限定されない。本実施形態においては、集磁シート７９の端部７９ａが接着部材８１を介してコア７８と接触し磁気的に結合するようになっており、接着部材８１が接続手段として機能する。
【０１０８】
なお、その他の構成は、第１の実施形態から第７の実施形態で説明したものと同様であることから、同一部材には同一の符号を付して、その説明を省略する。
【０１０９】
次に、本実施形態の作用について説明する。
【０１１０】
ハウジング７７内の所定の収納スペース（図示せず）にアンテナ構造体を収納する。また、挿入孔８０に集磁シート７９の端部７９ａを挿入する。挿入孔８０からハウジング７７内に挿入された集磁シート７９の端部７９ａは、接着部材８１を介してコア７２と接着され、これによって、コア７８と集磁シート７９の端部７９ａとが接触し磁気的に結合される。そして、この集磁シート７９及びコア７８により標準電波を受信すると、この電波に基づいて時刻情報が取得され、電波腕時計の現在時刻データが修正される。
【０１１１】
以上のように、本実施形態によれば、ハウジング７７の上部に配置された集磁シート７９を、ハウジング７７の内部に配置されたアンテナ構造体のコア７８の端部と接触させて磁気的に結合させるようになっている。これにより、集磁シート７９の分だけアンテナ構造体のアンテナ長を伸ばすことができるので、アンテナ構造体を狭いスペースに収めなければならない場合のように、コア７８を大きくすることができない場合でも、効率的に電波を捕らえることができ、モジュールサイズの小型化を実現しつつ、受信感度の向上を図ることができる。
【０１１２】
また、本実施形態では、接着部材８１によってコア７８と集磁シート７９とを接触させるので、簡易な手法で確実に集磁シート７９をコア７８に接触させることができ、受信感度の向上を図ることができる。
【０１１３】
なお、本発明が実施形態の範囲に限定されないことは第１の実施形態から第７の実施形態と同様である。
【０１１４】
［第９の実施形態］
次に、図１３を参照しつつ、本発明にかかる集磁シート取付構造及びこれを備える電波腕時計の第９の実施形態について説明する。なお、第９の実施形態は、アンテナ構造体のコアと集磁シートとの結合構造のみが第１の実施形態から第８の実施形態と異なるものであるため、以下においては、特に第１の実施形態から第８の実施形態と異なる部分について説明する。
【０１１５】
本実施形態において、電波腕時計（図示せず）は、第１の実施形態から第８の実施形態と同様に時計ケース（図示せず）とハウジング８５（図１３参照）とを備えている。図１３は、ハウジング８５の一部を拡大してアンテナ構造体（図示せず）のコア８６の端部と集磁シート８７の端部８７ａとの接続部分を示した断面図である。
【０１１６】
ハウジング８５の上部であってコア８６の両端部に対応する部分には挿入孔８８が形成されている。ハウジング８５の上部には、第１の実施形態から第８の実施形態と同様、一対の集磁シート８７が配置されている。本実施形態においては、集磁シート８７はばね性を有するシートとなっており、各集磁シート８７の一方の先端部はコア８６の各端部に向けて曲折する曲折部８７ａとなっている。各集磁シート８７の曲折部８７ａはハウジング８５の挿入孔８８からハウジング８５の内部に挿入され、集磁シート８７は、それ自体の付勢力によって曲折部８７ａの先端がコア８６に接触するように構成されている。これにより、集磁シート８７とコア８６とは磁気的に結合する。
【０１１７】
なお、その他の構成は、第１の実施形態から第８の実施形態で説明したものと同様であることから、同一部材には同一の符号を付して、その説明を省略する。
【０１１８】
次に、本実施形態の作用について説明する。
【０１１９】
ハウジング８５内の所定の収納スペース（図示せず）にアンテナ構造体を収納する。また、挿入孔８８に集磁シート８７の曲折部８７ａを挿入する。挿入孔８８からハウジング８５内に挿入された集磁シート８７の曲折部８７ａの先端はコア７２と接触し磁気的に結合される。そして、この集磁シート８７及びコア８６により標準電波を受信すると、この電波に基づいて時刻情報が取得され、電波腕時計の現在時刻データが修正される。
【０１２０】
以上のように、本実施形態によれば、ハウジング８５の上部に配置された集磁シート８７を、ハウジング８５の内部に配置されたアンテナ構造体のコア８６の端部と接触させて磁気的に結合させるようになっている。これにより、集磁シート８７の分だけアンテナ構造体のアンテナ長を伸ばすことができるので、アンテナ構造体を狭いスペースに収めなければならない場合のように、コア８６を大きくすることができない場合でも、効率的に電波を捕らえることができ、モジュールサイズの小型化を実現しつつ、受信感度の向上を図ることができる。
【０１２１】
また、本実施形態では、集磁シート８７の曲折部８７ａをコア８６と接触させ磁気的に結合させるので、部品点数を増やすことなく受信感度の向上を図ることができる。
【０１２２】
なお、本発明が実施形態の範囲に限定されないことは第１の実施形態から第８の実施形態と同様である。
【０１２３】
［第１０の実施形態］
次に、図１４を参照しつつ、本発明にかかる集磁シート取付構造及びこれを備える電波腕時計の第１０の実施形態について説明する。なお、第１０の実施形態は、アンテナ構造体のコアと集磁シートとの結合構造のみが第１の実施形態から第９の実施形態と異なるものであるため、以下においては、特に第１の実施形態から第９の実施形態と異なる部分について説明する。
【０１２４】
本実施形態において、電波腕時計（図示せず）は、第１の実施形態から第９の実施形態と同様に時計ケース（図示せず）とハウジング９０（図１４参照）とを備えている。図１４は、ハウジング９０の一部を拡大してアンテナ構造体（図示せず）のコア９１の端部と集磁シート９２の端部との接続部分を示した断面図である。
【０１２５】
ハウジング９０の上部であってコア９１の両端部に対応する部分には挿入孔９３が形成されている。ハウジング９０の上部には、第１の実施形態から第９の実施形態と同様、一対の集磁シート９２が配置されている。また、コア９１の両端部には集磁シート９２に向けて延出する延出部９１ａが設けられており、延出部９１ａは挿入孔９３に挿入されて集磁シート９２の一端部に接触するように構成されている。これにより、集磁シート９２とコア９１とは磁気的に結合する。
なお、延出部９１ａの形成の手法は、特に限定されず、例えばコア９１がアモルファス金属等の薄い板状部材を積層して形成されている場合には、そのうちの１枚又は数枚を集磁シート９２に向けて延出するように構成してもよい。また、例えばコア９１がフェライト等により一体形成されている場合には、延出部９１ａを有するように成型する。
【０１２６】
なお、その他の構成は、第１の実施形態から第９の実施形態で説明したものと同様であることから、同一部材には同一の符号を付して、その説明を省略する。
【０１２７】
次に、本実施形態の作用について説明する。
【０１２８】
ハウジング９０内の所定の収納スペース（図示せず）にアンテナ構造体を収納する。また、挿入孔９３にコア９１の延出部９１ａを挿入する。挿入孔９３から挿入された延出部９１ａは集磁シート９２と接触し磁気的に結合される。そして、この集磁シート９２及びコア９１により標準電波を受信すると、この電波に基づいて時刻情報が取得され、電波腕時計の現在時刻データが修正される。
【０１２９】
以上のように、本実施形態によれば、ハウジング９０の上部に配置された集磁シート９２を、ハウジング９０の内部に配置されたアンテナ構造体のコア９１の端部と接触させて磁気的に結合させるようになっている。これにより、集磁シート９２の分だけアンテナ構造体のアンテナ長を伸ばすことができるので、アンテナ構造体を狭いスペースに収めなければならない場合のように、コア９１を大きくすることができない場合でも、効率的に電波を捕らえることができ、モジュールサイズの小型化を実現しつつ、受信感度の向上を図ることができる。
【０１３０】
また、本実施形態では、コア９１の延出部９１ａを集磁シート９２と接触させ磁気的に結合させるので、部品点数を増やすことなく受信感度の向上を図ることができる。
【０１３１】
なお、本発明が実施形態の範囲に限定されないことは第１の実施形態から第９の実施形態と同様である。
【０１３２】
なお、上記の各実施形態では、アンテナ構造体のコアと集磁シートとを接触可能とするためにハウジングに挿入孔又は貫通孔を設ける構成としたが、アンテナ構造体のコアと集磁シートとが接触可能になっていればよく、例えば、ハウジングの上部の一部を切り欠いてもよい。
【０１３３】
また、上記の各実施形態では、ハウジングの上部に歯車を押える歯車押え板を配置し、集磁シートを、この歯車押え板の厚みと同じかこれよりも薄く形成することにより、ハウジングの上部にもともと存するスペースを集磁シートの配置空間として利用し、集磁シートを配置することによるハウジングの厚みの増加をなくすように構成したが、ハウジングの厚みの増加をなくす手法はこれに限定されない。例えば、ハウジングの上部を一部削ることにより集磁シートを配置する空間を確保してもよい。
【０１３４】
また、ハウジング等を形成する合成樹脂としては、例えば、エポキシ樹脂、フェノール樹脂、メラミン樹脂、ユリア樹脂、不飽和ポリエステル樹脂、ポリイミド樹脂、フラン樹脂、ポリブタジエン樹脂、アイオノマー樹脂、EEA 樹脂、AAS 樹脂（ASA 樹脂）、AS樹脂、ACS 樹脂、エチレン酢ビコポリマー、エチレンビニルアルコール共重合樹脂、ABS 樹脂、塩化ビニル樹脂、塩素化ポリエチレン樹脂、酢酸繊維素樹脂、フッ素樹脂、ポリアセタール樹脂、ポリアミド樹脂6,66、ポリアミド樹脂11,12 、ポリアリレート樹脂、熱可塑性ポリウレタンエラストマー、液晶ポリマー、ポリエーテルエーテルケトン、ポリサルフォン樹脂、ポリエーテルサルフォン樹脂、高密度ポリエチレン、低密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジエン樹脂、ポリプロピレン樹脂、ポリプロピレン樹脂、メタクリル樹脂、メチルペンテンポリマー等の樹脂等を用いても良く、これらの中でも耐熱性、寸法安定性、強度等の点からフェノール樹脂、エポキシ樹脂等が好ましい。
【０１３５】
また、上記実施形態では、電子機器として、電波腕時計１００を例示したが、これに限られるものではなく、アンテナ構造体１５により電波を受信する構成のものであれば如何なるものであっても良い。例えば、固定式の電波時計であっても良いし、小型ラジオ等であっても良い。
【図面の簡単な説明】
【０１３６】
【図１】本発明を適用した実施形態１の電子機器の好適な一例として例示する電波腕時計を示す正面図である。
【図２】図１の電波腕時計のII−II線断面図である。
【図３】図１の電波腕時計に備わる集磁シート取付構造を示す平面図である。
【図４】図１の電波腕時計に備わる集磁シート取付構造を模式的に示した斜視図である。
【図５】第１の実施形態におけるアンテナ構造体のコアと集磁シートとの接続部分を示した断面図である。
【図６】第２の実施形態におけるアンテナ構造体のコアと集磁シートとの接続部分を示した断面図である。
【図７】第３の実施形態におけるアンテナ構造体のコアと集磁シートとの接続部分を示した断面図である。
【図８】第４の実施形態におけるアンテナ構造体のコアと集磁シートとの接続部分を示した断面図である。
【図９】第５の実施形態におけるアンテナ構造体のコアと集磁シートとの接続部分を示した断面図である。
【図１０】第６の実施形態におけるアンテナ構造体のコアと集磁シートとの接続部分を示した断面図である。
【図１１】第７の実施形態におけるアンテナ構造体のコアと集磁シートとの接続部分を示した断面図である。
【図１２】第８の実施形態におけるアンテナ構造体のコアと集磁シートとの接続部分を示した断面図である。
【図１３】第９の実施形態におけるアンテナ構造体のコアと集磁シートとの接続部分を示した断面図である。
【図１４】第１０の実施形態におけるアンテナ構造体のコアと集磁シートとの接続部分を示した断面図である。
【符号の説明】
【０１３７】
２      時計ケース
３      ハウジング
７      文字板
１２      ソーラーパネル
１５      アンテナ構造体
１６      収納スペース
１７      コア
１８      コイル
２０      回路基板
２４      歯車
２５      歯車押え板
２７      挿入孔
３０      集磁シート
３１      弾性部材
１００      電波腕時計   
【図１】
0004952403.tif 000002
【図２】
0004952403.tif 000003
【図３】
0004952403.tif 000004
【図４】
0004952403.tif 000005
【図５】
0004952403.tif 000006
【図６】
0004952403.tif 000007
【図７】
0004952403.tif 000008
【図８】
0004952403.tif 000009
【図９】
0004952403.tif 000010
【図１０】
0004952403.tif 000011
【図１１】
0004952403.tif 000012
【図１２】
0004952403.tif 000013
【図１３】
0004952403.tif 000014
【図１４】
0004952403.tif 000015